(57)【要約】【課題】ユーザーが、所望のアナウンスを聴取可能とする簡易な手段を提供すること。【解決手段】放送装置１は、マイク３と、マイク３が集音した音声が記憶されるＦＩＦＯメモリ５と、ＦＩＦＯメモリ５に記憶された音声が出力されるスピーカー１１と、マイク６と、マイク６が集音した音声の音圧レベルを検出する検出回路８と、ＭＣＵ２と、を備える。ＭＣＵ２は、検出回路８が検出した音圧レベルに基づいて、ＦＩＦＯメモリ５の読み出しを制御する。【選択図】図１
2019220844.tif 000002
【特許請求の範囲】
【請求項１】
第１マイクと、
前記第１マイクが集音した音声が記憶されるメモリと、
前記メモリに記憶された音声が出力されるスピーカーと、
第２マイクと、
前記第２マイクが集音した音声の音圧レベルを検出する検出回路と、
制御部と、を備え、
前記制御部は、前記検出回路が検出した音圧レベルに基づいて、前記メモリの読み出しを制御することを特徴とする放送装置。
【請求項２】
前記制御部は、前記検出回路が検出した音圧レベルが所定の閾値以上である場合、前記メモリの読み出しを停止することを特徴とする請求項１に記載の放送装置。
【請求項３】
前記制御部は、前記メモリの読み出しを停止した後、前記検出回路が検出した音圧レベルが所定の閾値未満となった場合、前記メモリの読み出しを再開することを特徴とする請求項２に記載の放送装置。
【請求項４】
前記メモリは、ＦＩＦＯメモリであることを特徴とする請求項１〜３のいずれか１項に記載の放送装置。
【発明の詳細な説明】
【技術分野】
【０００１】
本発明は、複数の放送用スピーカーが共存する場合に放送を行う放送装置に関する。
【背景技術】
【０００２】
例えば、大きな病院の待合室等においては、マイクとそれに対する放送用スピーカーが複数組、設置されており、複数人が使用する。このため、複数人が同じタイミングでマイクに対して発声することがあり、病院の患者が、音声による案内を聞く際に、自分の望んでいる音声以外にも同時にアナウンスされ、音声が重なることがある。これにより、患者は、自分の望んでいる音声を非常に聞き取りにくい場合がある。本来、マイクで案内を伝える側が、現状を把握し、他のアナウンスが終わるのを待ってから、情報発信する必要がある。しかしながら、アナウンスが終わってから、他のアナウンスが行われる場合、待ち時間が発生し、忙しい医療現場等では、効率が悪くなる。特許文献１には、このような問題を解決する発明が記載されている。また、無線ＩＤタグ技術を導入し、無線ＩＤタグにより、確実に個人を特定してから呼び出しを行うことが可能になるが、システムの構築に多大な費用が発生する。なお、放送装置が設置される場所は、もちろん、病院に限られず、駅、ショッピングセンター等、アナウンスが行われる場所であればよい。
【先行技術文献】
【特許文献】
【０００３】
【特許文献１】特開平１１−２５２６９７号公報
【発明の概要】
【発明が解決しようとする課題】
【０００４】
上述のように、従来の放送装置には、種々の問題がある。
【０００５】
本発明の目的は、ユーザーが、所望のアナウンスを聴取可能とする簡易な手段を提供することである。
【課題を解決するための手段】
【０００６】
第１の発明の放送装置は、第１マイクと、前記第１マイクが集音した音声が記憶されるメモリと、前記メモリに記憶された音声が出力されるスピーカーと、第２マイクと、前記第２マイクが集音した音声の音圧レベルを検出する検出回路と、制御部と、を備え、前記制御部は、前記検出回路が検出した音圧レベルに基づいて、前記メモリの読み出しを制御することを特徴とする。
【０００７】
本発明では、制御部は、検出回路が検出した音圧レベルに基づいて、メモリの読み出しを制御する。例えば、制御部は、検出回路が検出した音圧レベルが所定の閾値以上である場合、メモリの読み出しを停止する。これにより、スピーカーから出力される音声が、他の音声と重なることがない。このため、ユーザーは、所望のアナウンスを聴取することができる。このように、本発明によれば、簡易な手段で、ユーザーに、所望のアナウンスを聴取させることができる。
【０００８】
第２の発明の放送装置は、第１の発明の放送装置において、前記制御部は、前記検出回路が検出した音圧レベルが所定の閾値以上である場合、前記メモリの読み出しを停止することを特徴とする。
【０００９】
第３の発明の放送装置は、第２の発明の放送装置において、前記制御部は、前記メモリの読み出しを停止した後、前記検出回路が検出した音圧レベルが所定の閾値未満となった場合、前記メモリの読み出しを再開することを特徴とする。
【００１０】
第４の発明の放送装置は、第１〜第３のいずれかの発明の放送装置において、前記メモリは、ＦＩＦＯメモリであることを特徴とする。
【発明の効果】
【００１１】
本発明によれば、簡易な手段で、ユーザーに、所望のアナウンスを聴取させることができる。
【図面の簡単な説明】
【００１２】
【図１】本発明の実施形態に係る放送装置の構成を示すブロック図である。
【発明を実施するための形態】
【００１３】
以下、本発明の実施形態について説明する。図１は、本実施形態に係る放送装置１の構成を示すブロック図である。図１に示すように、放送装置１は、ＭＣＵ２と、マイク３と、ＤＩＲ４と、ＦＩＦＯメモリ５と、マイク６と、Ａ／Ｄコンバータ７と、検出回路８と、Ｄ／Ａコンバータ９と、増幅回路１０と、スピーカー１１と、を備える。なお、マイク３は、複数存在し、スピーカー１１は、複数のマイク３に共用される。
【００１４】
ＭＣＵ（Micro Control Unit）２（制御部）は、放送装置１を構成する各部を制御する。マイク３（第１マイク）は、情報発信（アナウンス）用のマイクであり、例えば、病院の看護師、事務員等が、診察待ち、会計待ちの患者を呼び出すために使用する。マイク３は、音声を集音する。ＤＩＲ（Digital Interface Receiver）４は、マイクが集音した音声を、Ａ／Ｄ変換して、音声パケット化する。ＦＩＦＯ（First In First Out：先入れ先出し）メモリ５には、ＤＩＲ４が変換した音声パケットが格納（記憶）される。マイク６（第２マイク）は、環境音を集音するためのマイクである。Ａ／Ｄコンバータ７は、マイク６が集音した音声をＡ／Ｄ変換し、デジタル化する。検出回路８は、Ａ／Ｄコンバータ７がＡ／Ｄ変換した音声の音圧レベルを検出する。
【００１５】
ＭＣＵ２は、ＦＩＦＯメモリ５の読み出しを制御する。ＭＣＵ２は、ＦＩＦＯメモリ５から、パケット化された音声を、Ｄ／Ａコンバータ９に出力する。Ｄ／Ａコンバータ９は、パケットされた音声を、Ｄ／Ａ変換する。増幅回路１０は、Ｄ／Ａコンバータ９がＤ／Ａ変換した音声を、増幅する。増幅回路１０が増幅した音声は、スピーカー１１に出力される。
【００１６】
ここで、ＭＣＵ２は、検出回路８が検出した音声の音圧レベル（環境音の音圧レベル）に基づいて、ＦＩＦＯメモリ５の読み出しを制御する。例えば、ＭＣＵ２は、検出回路８が検出した音声の音圧レベルが、所定の閾値以上である場合、ＦＩＦＯメモリ５の読み出しを停止する。例えば、スピーカーが、「会計番号１０番、１２番、１５番、１７番の方・・・」という音声を出力していたとする。この音声と同時、又は、一部が時間的に重なって、マイク３が、「２５１番の方、１番診察室にお入りください。」という音声を集音したとする。この音声は、ＤＩＲ４により、音声パケットに変換され、一旦、ＦＩＦＯメモリ５に格納される。スピーカーによる音声により、検出回路８が検出した音声の音圧レベルが、所定の閾値以上である場合、ＭＣＵ２は、ＦＩＦＯメモリ５の読み出しを停止する。ＭＣＵ２は、ＦＩＦＯメモリ５の読み出しを停止した後、検出回路８が検出した音圧レベルが所定の閾値未満となった場合、ＦＩＦＯメモリ５の読み出しを再開する。これにより、「会計番号１０番、１２番、１５番、１７番の方・・・」という音声と重ならずに、「２５１番の方、１番診察室にお入りください。」という音声が、スピーカー１１から再生される。
【００１７】
以上説明したように、本実施形態では、ＭＣＵ２は、検出回路８が検出した音圧レベルに基づいて、ＦＩＦＯメモリ５の読み出しを制御する。例えば、ＭＣＵ２は、検出回路８が検出した音圧レベルが所定の閾値以上である場合、ＦＩＦＯメモリ５の読み出しを停止する。これにより、スピーカー１１から出力される音声が、他の音声と重なることがない。このため、ユーザーは、所望のアナウンスを聴取することができる。このように、本実施形態によれば、簡易な手段で、ユーザーに、所望のアナウンスを聴取させることができる。
【００１８】
以上、本発明の実施形態について説明したが、本発明を適用可能な形態は、上述の実施形態には限られるものではなく、本発明の趣旨を逸脱しない範囲で適宜変更を加えることが可能である。
【産業上の利用可能性】
【００１９】
本発明は、複数の放送用スピーカーが共存する場合に放送を行う放送装置に好適に採用され得る。
【符号の説明】
【００２０】
１  放送装置
２  ＭＣＵ（制御部）
３  マイク（第１マイク）
５  ＦＩＦＯメモリ
６  マイク（第２マイク）
８  検出回路
１１  スピーカー
【図１】
2019220844.tif 000003